(57)【要約】【課題】  多数のネットワークカメラ等からの映像データを伝送する場合であっても、ネットワークの帯域負荷を超過することなく運用することができる映像伝送システムを提供する。【解決手段】  カメラ部１１１で圧縮・符号化された映像データは、記憶部１１２に一時的に記憶されると同時に、動き検出部１１３に入力される。動き検出部１１３で動きの発生が認められた場合、送信申請部１１５で送信申請が発行され、ＩＰネットワーク１５０を通じてネットワーク管理装置１６０に送信される。ネットワーク管理装置１６０無いの送信判定部１６２でＩＰネットワーク上で通信されている映像データの通信総量が予め定められた規制値以下である場合、ネットワークカメラ１１０に送信指示が返信される。【選択図】  図１
2006165989.tif 000002
【特許請求の範囲】
【請求項１】
ネットワークに接続された少なくとも１つの画像送信装置から送信される映像データを受信する映像伝送システムであって、
前記少なくとも１つの画像送信装置から映像データの送信を要求する送信要求手段と、
前記ネットワークで通信されている映像データの通信総量を検出し、前記通信総量が所定の規制値以下であるか否かを判別する通信総量判別手段と、
前記通信総量が所定の規制値以下である場合、送信を要求した画像送信装置に対して送信を許可する送信許可手段と、
前記送信が許可された画像送信装置から前記ネットワークに映像データを送信する映像送信手段と、
前記送信された映像データを前記ネットワークを通じて受信して蓄積する蓄積手段とを備える映像伝送システム。
【請求項２】
請求項１記載の映像伝送システムであって、
前記画像送信装置は、
映像データを取得する映像取得手段と、
前記取得した映像データを記憶する記憶手段と、
前記記憶された映像データの動きを検出する動き検出手段とを備え、
前記動きが検出された場合、前記送信要求手段により前記ネットワークに対し、送信要求として送信申請を発行し、前記送信が許可された場合、前記映像送信手段により前記ネットワークに映像データを送信する映像伝送システム。
【請求項３】
請求項２記載の映像伝送システムであって、
複数の画像送信装置の優先度を設定する優先度設定手段を備え、
前記複数の画像送信装置から映像データの送信が同時に要求された場合、前記送信許可手段は、前記設定された優先度にしたがって、送信を許可する映像伝送システム。
【請求項４】
請求項３記載の映像伝送システムであって、
前記記憶手段の残容量が所定のしきい値以下になったか否かを判定するしきい値判定手段を備え、
前記残容量が前記しきい値以下になった場合、前記送信要求手段は、残容量減少による送信申請を発行し、
前記優先度設定手段は、前記残容量減少による送信申請が受信された場合、該送信申請を送信した画像送信装置の優先度を高くするように変更する映像伝送システム。
【請求項５】
請求項１記載の映像伝送システムであって、
前記ネットワークの運用可能な帯域総量を検出する帯域総量検出手段と、
前記検出された帯域総量を基に、前記所定の規制値を変更する規制値変更手段とを備える映像伝送システム。
【請求項６】
ネットワークに接続された画像受信装置に映像データを送信する画像送信装置であって、
映像データを取得する映像取得手段と、
前記取得した映像データを記憶する記憶手段と、
前記記憶された映像データの動きを検出する動き検出手段と、
前記動きが検出された場合、前記ネットワークに対し、送信要求として送信申請を発行する送信申請発行手段と、
前記ネットワークで通信されている通信総量が所定の規制値以下であって、前記送信が許可された場合、前記ネットワークに映像データを送信する映像送信手段とを備える画像送信装置。
【請求項７】
ネットワークに接続された少なくとも１つの画像送信装置から映像データを受信する画像受信装置であって、
前記少なくとも１つの画像送信装置から送信が要求された場合、前記ネットワークで通信されている映像データの通信総量を検出し、前記通信総量が所定の規制値以下であるか否かを判別する通信総量判別手段と、
前記通信総量が所定の規制値以下である場合、送信を要求した画像送信装置に対して送信を許可する送信許可手段と、
前記送信が許可された画像送信装置から送信された映像データを前記ネットワークを通じて受信して蓄積する蓄積手段とを備える画像受信装置。
【請求項８】
ネットワークに接続された少なくとも１つの画像送信装置から送信される映像データを受信する映像伝送方法であって、
前記少なくとも１つの画像送信装置から映像データの送信を要求する送信要求ステップと、
前記ネットワークで通信されている映像データの通信総量を検出し、前記通信総量が所定の規制値以下であるか否かを判別する通信総量判別ステップと、
前記通信総量が所定の規制値以下である場合、送信を要求した画像送信装置に対して送信を許可する送信許可ステップと、
前記送信が許可された画像送信装置から前記ネットワークに映像データを送信する映像送信ステップと、
前記送信された映像データを前記ネットワークを通じて受信して蓄積する蓄積ステップとを有する映像伝送方法。
【発明の詳細な説明】
【技術分野】
【０００１】
本発明は、ネットワークを通じて映像データを伝送する映像伝送システム、画像送信装置、画像受信装置および映像伝送方法に関する。
【背景技術】
【０００２】
この種の映像伝送システムとして、ネットワークに接続された複数台のカメラで撮影された映像を監視する映像監視システムが知られている。図１２は従来の映像監視システムの構成を示す図である。この映像監視システムは、複数台のネットワークカメラ５００、５１０、５２０および蓄積装置５４０がＩＰネットワーク５５０に接続された構成を有する。ネットワークカメラ５００は、カメラ部５０１、記憶部５０２、動き検出部５０３およびネットワーク送信部５０４を有する。他のネットワークカメラ５１０、５２０も、ネットワークカメラ５００と同様の構成を有する。
【０００３】
ネットワークカメラ５００は、カメラ部５０１で入力された映像を圧縮・符号化して映像データとし、記憶部５０２に一時的に記憶する。そして、動き検出部５０３によって映像データに動きが検出された場合のみ、ネットワーク送信部５０４からＩＰネットワーク５５０を経由して蓄積装置５４０に映像データを送信する。これにより、ＩＰネットワーク５５０の帯域負荷を軽減する（特許文献１参照）。
【０００４】
【特許文献１】特開２０００−８３２４１号公報（図１）
【発明の開示】
【発明が解決しようとする課題】
【０００５】
しかしながら、従来の映像伝送システムでは、多数のネットワークカメラにおいて、同時に動き検出が成立した場合、ＩＰネットワークの最大帯域負荷を超過するような、映像データの送信が発生するおそれがあった。
【０００６】
本発明は、上記事情に鑑みてなされたもので、多数の画像送信装置からの映像データを送受信する場合であっても、ネットワークの帯域負荷を超過することなく運用することができる映像伝送システム、画像送信装置、画像受信装置および映像伝送方法を提供することを目的とする。
【課題を解決するための手段】
【０００７】
本発明の映像伝送システムは、ネットワークに接続された少なくとも１つの画像送信装置から送信される映像データを受信する映像伝送システムであって、前記少なくとも１つの画像送信装置から映像データの送信を要求する送信要求手段と、前記ネットワークで通信されている映像データの通信総量を検出し、前記通信総量が所定の規制値以下であるか否かを判別する通信総量判別手段と、前記通信総量が所定の規制値以下である場合、送信を要求した画像送信装置に対して送信を許可する送信許可手段と、前記送信が許可された画像送信装置から前記ネットワークに映像データを送信する映像送信手段と、前記送信された映像データを前記ネットワークを通じて受信して蓄積する蓄積手段とを備えるものである。
【０００８】
この構成により、多数の画像送信装置からの映像データを送受信する場合であっても、ネットワークの帯域負荷を超過することなく運用することができる。
【０００９】
また、本発明の一態様として、上記の映像伝送システムであって、前記画像送信装置は、映像データを取得する映像取得手段と、前記取得した映像データを記憶する記憶手段と、前記記憶された映像データの動きを検出する動き検出手段とを備え、前記動きが検出された場合、前記送信要求手段により前記ネットワークに対し、送信要求として送信申請を発行し、前記送信が許可された場合、前記映像送信手段により前記ネットワークに映像データを送信するものとする。これにより、帯域負荷を軽減できる。
【００１０】
また、本発明の一態様として、上記の映像伝送システムであって、複数の画像送信装置の優先度を設定する優先度設定手段を備え、前記複数の画像送信装置から映像データの送信が同時に要求された場合、前記送信許可手段は、前記設定された優先度にしたがって、送信を許可するものとする。これにより、ネットワークの帯域が枯渇した場合、ユーザの要求度の高い映像データを優先的に蓄積することができる。
【００１１】
また、本発明の一態様として、上記の映像伝送システムであって、前記記憶手段の残容量が所定のしきい値以下になったか否かを判定するしきい値判定手段を備え、前記残容量が前記しきい値以下になった場合、前記送信要求手段は、残容量減少による送信申請を発行し、前記優先度設定手段は、前記残容量減少による送信申請が受信された場合、該送信申請を送信した画像送信装置の優先度を高くするように変更するものとする。これにより、記憶手段に記憶された映像データが送信されることなく、上書きされて消失する可能性を低減できる。
【００１２】
また、本発明の一態様として、上記の映像伝送システムであって、前記ネットワークの運用可能な帯域総量を検出する帯域総量検出手段と、前記検出された帯域総量を基に、前記所定の規制値を変更する規制値変更手段とを備えるものとする。これにより、ネットワークに障害が発生しても、運用可能な最大帯域を利用してシステムを運用することができる。
【００１３】
本発明の画像送信装置は、ネットワークに接続された画像受信装置に映像データを送信する画像送信装置であって、映像データを取得する映像取得手段と、前記取得した映像データを記憶する記憶手段と、前記記憶された映像データの動きを検出する動き検出手段とを備え、前記動きが検出された場合、前記ネットワークに対し、送信要求として送信申請を発行する送信申請発行手段と、  前記ネットワークで通信されている通信総量が所定の規制値以下であって、前記送信が許可された場合、前記ネットワークに映像データを送信する映像送信手段とを備えるものである。これにより、多数の画像送信装置からの映像データを送受信する場合であっても、ネットワークの帯域負荷を超過することなく運用することができる。
【００１４】
本発明の画像受信装置は、ネットワークに接続された少なくとも１つの画像送信装置から映像データを受信する画像受信装置であって、前記少なくとも１つの画像送信装置から送信が要求された場合、前記ネットワークで通信されている映像データの通信総量を検出し、前記通信総量が所定の規制値以下であるか否かを判別する通信総量判別手段と、前記通信総量が所定の規制値以下である場合、送信を要求した画像送信装置に対して送信を許可する送信許可手段と、前記送信が許可された画像送信装置から送信された映像データを前記ネットワークを通じて受信して蓄積する蓄積手段とを備えるものである。これにより、多数の画像送信装置からの映像データを送受信する場合であっても、ネットワークの帯域負荷を超過することなく運用することができる。
【００１５】
本発明の映像伝送方法は、ネットワークに接続された少なくとも１つの画像送信装置から送信される映像データを受信する映像伝送方法であって、前記少なくとも１つの画像送信装置から映像データの送信を要求する送信要求ステップと、前記ネットワークで通信されている映像データの通信総量を検出し、前記通信総量が所定の規制値以下であるか否かを判別する通信総量判別ステップと、前記通信総量が所定の規制値以下である場合、送信を要求した画像送信装置に対して送信を許可する送信許可ステップと、前記送信が許可された画像送信装置から前記ネットワークに映像データを送信する映像送信ステップと、前記送信された映像データを前記ネットワークを通じて受信して蓄積する蓄積ステップとを有するものである。これにより、多数の画像送信装置からの映像データを送受信する場合であっても、ネットワークの帯域負荷を超過することなく運用することができる。
【発明の効果】
【００１６】
本発明によれば、多数の画像送信装置から送信される映像データを送受信する場合であっても、ネットワークの帯域負荷を超過することなく運用することが可能な映像伝送システム、画像送信装置、画像受信装置および映像伝送方法を提供できる。
【発明を実施するための最良の形態】
【００１７】
本実施形態では、ネットワークカメラ監視システムに適用される映像伝送システムの構成例を説明する。
（第１の実施形態）
図１は本発明の第１の実施形態におけるネットワークカメラ監視システムの構成を示すブロック図である。このネットワークカメラ監視システムは、複数台のネットワークカメラ１１０、１２０、１３０、蓄積装置１４０およびネットワーク管理装置１６０がＩＰネットワーク１５０に接続された構成を有する。ネットワークカメラ１１０は、カメラ部１１１、動き検出部１１３、記憶部１１２、送信申請部１１５、ネットワーク送受信部１１４および送信指示部１１６を有する。ネットワークカメラ１２０、１３０は、ネットワークカメラ１１０と同様の構成を有するので、その説明を省略する。また、ネットワーク管理装置１６０は、ネットワーク送受信部１６１および送信判定部１６２を有する。
【００１８】
ネットワークカメラ１１０は、映像取得手段の機能を有するカメラ部１１１で入力された映像信号を取り込んで圧縮・符号化し、記憶手段の機能を有する記憶部１１２に映像データとして一時的に蓄える。これと同時に、動き検出手段の機能を有する動き検出部１１３では、動きが発生したか否かを評価する。動き検出部１１３において動きの発生が認められた場合、送信要求手段の機能を有する送信申請部１１５で送信申請を作成し、ネットワーク送受信部１１４を介してＩＰネットワーク１５０に送信する。この送信申請は、ネットワーク管理装置１６０内のネットワーク送受信部１６１で受信され、通信総量判別手段および送信許可手段の機能を有する送信判定部１６２に伝送される。
【００１９】
送信判定部１６２では、ＩＰネットワーク１５０上で通信されている映像データの通信総量が予め定められた値（規制値）以下である場合、ネットワークカメラ１１０に対して送信指示を返信する。一方、送信指示を受信したネットワークカメラ１１０は、その送信指示部１１６によって記憶部１１２に一時的に蓄えられた映像データの送信を指示する。  ここで、ネットワーク送受信部１１４および送信指示部１１６が映像送信手段の機能を実現する。送信された映像データは、ＩＰネットワーク１５０を経由して蓄積手段の機能を有する蓄積装置１４０に受信され、蓄積される。
【００２０】
上記構成を有するネットワークカメラ監視システムの動作を示す。図２は第１の実施形態におけるネットワークカメラ１１０の動作処理手順を示すフローチャートである。まず、カメラ部１１１に映像信号の入力があったか否かを判別する（ステップＳ１）。映像信号の入力がない場合、ステップＳ１の処理を繰り返し、映像信号の入力があった場合、カメラ部１１１で入力された映像信号を圧縮・符号化して映像データとし（ステップＳ２）、記憶部１１２に一時的に蓄積する（ステップＳ３）。これと同時に、カメラ部１１１からの映像データは動き検出部１１３に入力されるので、動き検出部１１３では、映像データに動きが発生したか否かを評価する（ステップＳ４）。動きの発生がない場合、そのまま本処理を終了する。一方、動きの発生が認められた場合、送信申請部１１５で送信申請を作成する（ステップＳ５）。そして、作成された送信申請をネットワーク送受信部１１４を介してＩＰネットワーク１５０に送信する（ステップＳ６）。
【００２１】
そして、ＩＰネットワーク１５０から送信指示を受信したか否かを判別する（ステップＳ７）。受信していない場合、ステップＳ７の処理を繰り返し、受信するまで待機する。  一方、送信指示を受信した場合、ネットワークカメラ１１０内の送信指示部１１６が記憶部１１２に映像データの送信を指示することによって、ネットワーク送受信部１１４からＩＰネットワーク１５０に映像データを送信する（ステップＳ８）。送信された映像データは、蓄積装置１４０に蓄積される。この後、本処理を終了する。
【００２２】
図３は第１の実施形態におけるネットワーク管理装置１６０の動作処理手順を示すフローチャートである。まず、ネットワーク管理装置１６０では、ＩＰネットワーク１５０から送信申請を受信したか否かを判別する（ステップＳ１１）。送信申請を受信していない場合、ステップＳ１１の処理を繰り返す。一方、送信申請を受信した場合、ＩＰネットワーク１５０上で実行（通信）されている映像データの通信総量が予め定められた値（規制値）以下であるか否かを判別する（ステップＳ１２）。規制値以下である場合、ネットワークカメラ１１０に対し、ＩＰネットワーク１５０を通じて送信指示を送信する（ステップＳ１３）。この後、ステップＳ１１の処理に戻る。一方、ステップＳ１２で通信総量が規制値を越える場合、送信指示を出すことなく、ステップＳ１１の処理に戻る。
【００２３】
このように、第１の実施形態のネットワークカメラ監視システムによれば、ＩＰネットワークの最大帯域を越える送信申請があった場合、ネットワーク管理装置１６０内の送信判定部１６２で送信が許可されないので、最大帯域負荷を超過することなく、システムを運用することができる。
【００２４】
（第２の実施形態）
図４は本発明の第２の実施形態におけるネットワークカメラ監視システムの構成を示すブロック図である。前記第１の実施形態と同一の構成部分については同一の符号を付すことによりその説明を省略する。第２の実施形態では、ネットワーク管理装置１６０は、送信判定部１６２によって参照可能な優先度管理表２６３を有する。この優先度管理表２６３は、優先度設定手段の機能を有するもので、複数のネットワークカメラ１１０、１２０、１３０から同時に送信申請を着信した場合、どれを優先させるか、つまり優先度が予め記述されている。この優先度の設定は、ユーザが予め自身の要求度に応じて設定しておくことが可能である。一旦設定されると、設定し直すことが行われない限り、優先度は固定される。なお、優先度の設定は任意に変更することも可能である。例えば、所定期間毎に優先度を変更したり、使用頻度に応じて変更するようにしてもよい。その他のネットワークカメラ監視システムの構成は、前記第１の実施形態と同様である。
【００２５】
図５は第２の実施形態におけるネットワーク管理装置１６０の動作処理手順を示すフローチャートである。まず、ＩＰネットワーク１５０から送信申請を受信したか否かを判別する（ステップＳ２１）。受信していない場合、ステップＳ２１に戻って同様の処理を繰り返す。一方、送信申請を受信した場合、ＩＰネットワーク１５０の通信総量が規制値以下であるか否かを判別する（ステップＳ２２）。規制値を越える場合、ステップＳ２１の処理に戻る。
【００２６】
一方、ステップＳ２２で通信総量が規制値以下である場合、同時に２以上の送信申請を受信したか否かを判別する（ステップＳ２３）。同時に２以上の送信申請を受信していない場合、送信申請を行ったネットワークカメラに対し、送信指示を送信する（ステップＳ２５）。この後、ステップＳ２１の処理に戻る。一方、ステップＳ２３で同時に２以上の送信申請を受信している場合、優先度管理表２６３を参照し、いずれのネットワークカメラの優先度が高いかを判断して送信を許可すべきネットワークカメラを決定する（ステップＳ２４）。そして、決定されたネットワークカメラに対し、ステップＳ２５で送信指示を送信する。この後、ステップＳ２１の処理に戻り、同時に受信していた他の送信申請に対して処理を継続する。
【００２７】
一方、ネットワークカメラ１１０側では、ＩＰネットワーク１５０から送信指示を受信した場合、送信指示部１１６が記憶部１１２に映像データの送信を指示する。そして、ネットワーク送受信部１１４から映像データがＩＰネットワーク１５０を介して送信され、蓄積装置１４０に蓄積される。
【００２８】
このように、第２の実施形態のネットワークカメラ監視システムによれば、ネットワーク帯域が枯渇した場合、ユーザの要求度の高い、映像データを優先的に蓄積することができる。なお、上記実施形態では、優先度管理表に基づき、特定のネットワークカメラだけを選択し、そのカメラからの映像データが蓄積される場合を示したが、優先度に応じて、各ネットワークカメラの送信量に重み付けを行い、全てのネットワークカメラが最低限の送信を行えるように制御することも可能である。
【００２９】
（第３の実施形態）
図６は本発明の第３の実施形態におけるネットワークカメラ監視システムの構成を示すブロック図である。前記第１、第２の実施形態と同一の構成部分については同一の符号を付すことによりその説明を省略する。第３の実施形態では、ネットワークカメラ１１０には、しきい値判定手段の機能を有する残量判定部３１７が設けられている。この残量判定部３１７は、記憶部１１２の記憶残容量が予め定められたしきい値以下になった場合、送信申請部１１５に送信申請を発行するように要求する。送信申請部１１５は、この要求に応じて送信申請を発行する。この送信申請には、記憶残容量の減少によるものであることが記述されている。また、ネットワーク管理装置１６０には、優先度設定手段の機能を有する優先度更新部３６４が設けられている。優先度更新部３６４は、記憶残容量が少ないことによる送信申請を受信した場合、優先度管理表２６３におけるネットワークカメラ１１０の優先度を高くするように更新する。
【００３０】
図７は第３の実施形態におけるネットワークカメラ１１０の動作処理手順を示すフローチャートである。この処理は所定の周期毎に実行される。まず、記憶部１１２の記憶残容量が所定値以下になったか否かを判別する（ステップＳ３１）。所定値以下になっていない場合、そのまま本処理を終了する。一方、ステップＳ３１で記憶残容量が所定値以下になっている場合、送信申請を発行する（ステップＳ３２）。この後、本処理を終了する。
【００３１】
図８は第３の実施形態におけるネットワーク管理装置１６０の動作処理手順を示すフローチャートである。まず、ＩＰネットワーク１５０から送信申請を受信したか否かを判別する（ステップＳ４１）。送信申請を受信していない場合、ステップＳ４１の処理を繰り返す。一方、送信申請を受信した場合、その送信申請が記憶残容量の減少によるものであるか否かを判別する（ステップＳ４２）。記憶残容量の減少によるものである場合、優先度管理表２６３の優先度を変更する（ステップＳ４３）。ここでは、記憶残容量の減少による送信申請を発行したネットワークカメラの優先度が高くなるように変更される。一方、ステップＳ４２で送信申請が記憶残容量の減少によるものでない場合、ステップＳ４４の処理に進む。
【００３２】
この後の処理は前記第２の実施形態におけるステップＳ２２〜Ｓ２５の処理と同じである。すなわち、ＩＰネットワーク１５０の通信総量が所定値以下であるか否かを判別する（ステップＳ４４）。所定値を越える場合、ステップＳ４１の処理に戻る。
【００３３】
一方、ステップＳ４４で通信総量が所定値以下である場合、同時に２以上の送信申請を受信したか否かを判別する（ステップＳ４５）。同時に２以上の送信申請を受信していない場合、送信申請を行ったネットワークカメラに対し、送信指示を送信する（ステップＳ４７）。この後、ステップＳ４１の処理に戻る。一方、ステップＳ４５で同時に２以上の送信申請を受信している場合、優先度管理表２６３を参照し、いずれのネットワークカメラの優先度が高いかを判断して送信を許可すべきネットワークカメラを決定する（ステップＳ４６）。そして、決定されたネットワークカメラに対し、ステップＳ４７で送信指示を送信する。この後、ステップＳ４１の処理に戻る。さらに、同時に受信していた他の送信申請に対し、同様の処理を継続する。
【００３４】
一方、ネットワークカメラ１１０は、ＩＰネットワーク１５０から送信指示を受信すると、送信指示部１１６が記憶部１１２に映像データの送信を指示し、ネットワーク送受信部１１４からＩＰネットワーク１５０に映像データを送信する。送信された映像データは、蓄積装置１４０に蓄積される。
【００３５】
このように、第３の実施形態のネットワークカメラ監視システムによれば、記憶部１１２に一時的に記憶された映像データが送信されることなく、上書きされて消失してしまうおそれを低減できる。
【００３６】
（第４の実施形態）
図９は本発明の第４の実施形態におけるネットワークカメラ監視システムの構成を示すブロック図である。前記第１、第２、第３の実施形態と同一の構成部分については同一の符号を付すことによりその説明を省略する。第４の実施形態では、ＩＰネットワーク１５０に帯域総量検出手段の機能を有するネットワーク監視装置４７０が接続されている。ネットワーク監視装置４７０は、ＩＰネットワーク１５０に障害が発生した場合、運用可能な帯域総量を算出し、ネットワーク管理装置１６０に送信する。また、第４の実施形態では、ネットワーク管理装置１６０の送信判定部１６２が規制値変更手段の機能を実現する。
【００３７】
図１０は第４の実施形態におけるネットワーク監視装置４７０の動作処理手順を示すフローチャートである。まず、ＩＰネットワーク１５０に障害が発生したか否かを判別する（ステップＳ５１）。障害が発生していない場合、そのまま本処理を終了する。一方、ＩＰネットワーク１５０に障害が発生した場合、運用可能な帯域総量を算出する（ステップＳ５２）。そして、算出された帯域総量を、ＩＰネットワーク１５０を介してネットワーク管理装置１６０に送信する（ステップＳ５３）。この後、本処理を終了する。
【００３８】
図１１は第４の実施形態におけるネットワーク管理装置１６０の動作処理手順を示すフローチャートである。この処理は所定周期毎に実行される。まず、ＩＰネットワーク１５０を介して、ネットワーク監視装置４７０から帯域総量を受信したか否かを判別する（ステップＳ６１）。受信していない場合、そのまま本処理を終了する。一方、帯域総量を受信した場合、送信判定部１６２で規制値を変更し、管理される帯域総量を更新する（ステップＳ６２）。この後、本処理を終了する。なお、その他の処理は、前記第３の実施形態と同様であるので、ここではその説明を省略する。
【００３９】
このように、第４の実施形態のネットワークカメラ監視システムによれば、ＩＰネットワークの障害発生時においても、運用可能な最大帯域を利用してシステムを運用することができる。
【００４０】
なお、本発明は、上述した実施形態の構成に限られるものではなく、特許請求の範囲に記載した範囲において、各種の変形実施が可能であり、種々の構成に適用可能である。
【００４１】
例えば、上記各実施形態では、画像受信装置は、蓄積装置およびネットワーク管理装置として構成され、これらは別体であったが、一体化して構成されてもよい。
【産業上の利用可能性】
【００４２】
本発明は、多数の画像送信装置から送信される映像データを送受信する場合であっても、ネットワークの帯域負荷を超過することなく運用することが可能となる効果を有し、ネットワークを通じて映像データを伝送する映像伝送システム、画像送信装置、画像受信装置および映像伝送方法等に有用である。
【図面の簡単な説明】
【００４３】
【図１】本発明の第１の実施形態におけるネットワークカメラ監視システムの構成を示すブロック図
【図２】第１の実施形態におけるネットワークカメラの動作処理手順を示すフローチャート
【図３】第１の実施形態におけるネットワーク管理装置の動作処理手順を示すフローチャート
【図４】本発明の第２の実施形態におけるネットワークカメラ監視システムの構成を示すブロック図
【図５】第２の実施形態におけるネットワーク管理装置の動作処理手順を示すフローチャート
【図６】本発明の第３の実施形態におけるネットワークカメラ監視システムの構成を示すブロック図
【図７】第３の実施形態におけるネットワークカメラの動作処理手順を示すフローチャート
【図８】第３の実施形態におけるネットワーク管理装置の動作処理手順を示すフローチャート
【図９】本発明の第４の実施形態におけるネットワークカメラ監視システムの構成を示すブロック図
【図１０】第４の実施形態におけるネットワーク監視装置の動作処理手順を示すフローチャート
【図１１】第４の実施形態におけるネットワーク管理装置の動作処理手順を示すフローチャート
【図１２】従来の映像監視システムの構成を示す図
【符号の説明】
【００４４】
１１０、１２０、１３０  ネットワークカメラ
１１１  カメラ部
１１２  記憶部
１１３  動き検出部
１１４、１６１  ネットワーク送受信部
１１５  送信申請部
１１６  送信指示部
１４０  蓄積装置
１５０  ＩＰネットワーク
１６０  ネットワーク管理装置
１６２  送信判定部
２６３  優先度管理表
３１７  残量判定部
３６４  優先度更新部
４７０  ネットワーク監視装置
【図１】
2006165989.tif 000003
【図２】
2006165989.tif 000004
【図３】
2006165989.tif 000005
【図４】
2006165989.tif 000006
【図５】
2006165989.tif 000007
【図６】
2006165989.tif 000008
【図７】
2006165989.tif 000009
【図８】
2006165989.tif 000010
【図９】
2006165989.tif 000011
【図１０】
2006165989.tif 000012
【図１１】
2006165989.tif 000013
【図１２】
2006165989.tif 000014